(57)【要約】      （修正有）【課題】遠隔検針、料金計算、オンライン支払い、マイコンメーター機能のオン／オフ遠隔制御が可能な、ガス供給システムのスマートモニタリングボックスを提供する。【解決手段】スマートモニタリングボックス１０は、少なくとも、プロセッサーと、通信インターフェイスと、通信モジュール８０と、電力供給ユニットを含み、通信インターフェイスと通信モジュールを介してクラウドデータベースＤ及びコントロールセンターＣと通信接続し、マイコンメーター９０と検知器のモニタリング、ガス使用データ収集を行い、遠隔検針、料金計算とオンライン支払いの機能を実現することができ、コントロールセンターまたはユーザーのアプリからマイコンメーターのオン／オフを遠隔制御し、ガス使用上の安全性を確約するとともに、地震発生後のガスメーター復帰に際するスタッフ派遣コストを節約することができる。【選択図】図１
0003234902.tif 000002
【実用新案登録請求の範囲】
【請求項１】
クラウドデータベース及びコントロールセンターと通信接続し、マイコンメーターのモニタリングとガス使用データの収集に用いることができるガス供給システムのスマートモニタリングボックスであって、該スマートモニタリングボックスが、少なくとも、プロセッサーと、通信インターフェイスと、通信モジュールと、電力供給ユニットを含み、該電力供給ユニットが商用電源に電気的に接続され、該商用電源を直流に変換して該スマートモニタリングボックスに必要な電力を供給し、該プロセッサーが該通信インターフェイスを介して該マイコンメーターに電気的に接続され、該マイコンメーターのガス度数を読み取り、該プロセッサーが該通信インターフェイスを介して該通信モジュールに電気的に接続され、該通信モジュールを介して該クラウドデータベース及びコントロールセンターと通信接続を構成し、該プロセッサーが該通信モジュールを介して該ガス度数を該クラウドデータベース及び該コントロールセンターに送信し、かつ該コントロールセンターの制御信号を受信して該マイコンメーターに対しオフ、オン、復帰の操作を実行させる、ことを特徴とする、ガス供給システムのスマートモニタリングボックス。
【請求項２】
さらにガス漏れ検知器を含み、該ガス漏れ検知器が該マイコンメーターに電気的に接続され、該ガス漏れ検知器がガス漏れを検知したとき該マイコンメーターに対して第１切断信号を送信し、該マイコンメーターをオフにすることができる、ことを特徴とする、請求項１に記載のガス供給システムのスマートモニタリングボックス。
【請求項３】
前記電力供給ユニットと該ガス漏れ検知器が該商用電源を共用し、該プロセッサーが該通信インターフェイスを介して該ガス漏れ検知器に接続し、該ガス漏れ検知器が送信する該第１切断信号を取得して、該第１切断信号を該クラウドデータベース及び該コントロールセンターに伝送するために用いられる、ことを特徴とする、請求項２に記載のガス供給システムのスマートモニタリングボックス。
【請求項４】
さらに一酸化炭素検知器を含み、該一酸化炭素検知器が該マイコンメーターに電気的に接続され、該一酸化炭素検知器が一酸化炭素を検知したとき該マイコンメーターに対して第２切断信号を送信し、該マイコンメーターをオフにすることができる、ことを特徴とする、請求項１に記載のガス供給システムのスマートモニタリングボックス。
【請求項５】
前記電力供給ユニットと該一酸化炭素検知器が該商用電源を共用し、該プロセッサーが該通信インターフェイスを介して該一酸化炭素検知器に接続し、該一酸化炭素検知器が送信する該第２切断信号を取得して、該第２切断信号を該クラウドデータベース及び該コントロールセンターに伝送するために用いられる、ことを特徴とする、請求項４に記載のガス供給システムのスマートモニタリングボックス。
【請求項６】
前記通信インターフェイスが、ＧＰＩＯ、Ｉ２Ｃ、ＵＳＢ、ＵＡＲＴ、ＲＪ４５のうちのいずれかの接続ポートを含む、ことを特徴とする、請求項１に記載のガス供給システムのスマートモニタリングボックス。
【請求項７】
前記通信モジュールが、無線通信モジュールと有線通信モジュールのうちのいずれかを含む、ことを特徴とする、請求項１に記載のガス供給システムのスマートモニタリングボックス。
【請求項８】
前記無線通信モジュールが、Ｌｏｒａ（登録商標）、ＷｉＦｉ、３Ｇ、４Ｇ、Ｂｌｕｅｔｏｏｔｈ（登録商標）通信モジュールのうちのいずれかを含み、該有線通信モジュールがイーサネット通信モジュールである、ことを特徴とする、請求項７に記載のガス供給システムのスマートモニタリングボックス。
【請求項９】
前記プロセッサーが、フィールドプログラマブルゲートアレイ（ＦＰＧＡ）とすることができる、ことを特徴とする、請求項１に記載のガス供給システムのスマートモニタリングボックス。
【請求項１０】
さらにバックアップ電力ユニットを含み、該バックアップ電力ユニットが少なくとも、充電池と、電源管理回路と、電源アダプタを含み、該バックアップ電力ユニットが商用電源に電気的に接続され、該電源管理回路が該電源アダプタを制御し、商用電源を使用して該充電池に充電させ、該電源管理回路が商用電源の切断または停電期間中、該充電池を制御して該スマートモニタリングボックスに必要な電力を供給させる、ことを特徴とする、請求項１に記載のガス供給システムのスマートモニタリングボックス。
【考案の詳細な説明】
【技術分野】
【０００１】
本考案はガスのマイコンメーターモニタリング装置に関し、特に、ガス供給システムのスマートモニタリングボックスであって、クラウドデータベース及びコントロールセンターと通信接続し、マイコンメーターと検知器のモニタリング、及びガス使用データの収集に用い、遠隔検針、料金計算、オンライン支払い、及びマイコンメーターの機能のオン／オフ遠隔制御を実現することができる、ガス供給システムのスマートモニタリングボックスに関する。
【背景技術】
【０００２】
従来の機械式ガスメーターはユーザーのガス使用度数を計算することはできるが、毎月または２か月毎にユーザーのガス使用度数を取得する作業には大量の人力を投入して各家庭の検針を行う必要があり、それによりメーターに基づいた料金計算と徴収の作業を完了している。この過程は全体に時間がかかり、係争が生じやすく、人為的ミスの発生率が高くなっており、かつ大量の人件費を要する。
【０００３】
また、従来の機械式ガスメーターはガス使用度数の計算ができるのみで、ガス供給自動切断機能はなく、ガス洩れ、一酸化炭素（ＣＯ）濃度が高すぎる、または地震災害などの状況が発生した場合、ユーザーの安全を保障することができない。このため、台湾経済部エネルギー局は２０１４年から自動切断機能を備えたマイコンメーターの普及推進を開始している。
【０００４】
現有のマイコンメーターは計量機能のみを備えた従来の機械式ガスメーターと異なり、既知のマイコンメーターにはガス漏れ検知保護、一酸化炭素検知保護、地震遮断等の安全保護機能を含む、複数の安全保護機能がある。既知のマイコンメーターの構造は、少なくとも、遮断弁、内蔵電源、地震感知器、流量検知器、マイコンチップ、圧力検知器、計量部、計量指示器、復帰装置を含み、外部のガス漏れ検知器と一酸化炭素検知器に接続することができる。
【０００５】
ガス流量が突然大幅に増加したり（例えばガス管線の脱落や突然の大量ガス噴出）、ガス漏れ検知器のガス漏れ検出信号を受信したり、一酸化炭素検知器の一酸化炭素漏洩信號を受信したりすると、マイコンメーターの遮断機能が直ちにガスの供給を遮断し、爆発や中毒事件を防止する。同時に他の家事をしていてガスを使用していることを忘れても、所定の安全使用期間を超過すると、火災や窒息等の事故を回避するために、マイコンメーターの超過時間遮断機能が自動的にガスを切断し、安全を確保することもできる。ガス供給圧力が高すぎる、または低すぎる（例えば外管の破断）とき、マイコンメーターの圧力超
過／圧力低下遮断機能が直ちにガスを遮断し、ガス供給回復時にガスがタップから漏れ出すことによる危険の発生を防止する。リクタースケール５以上の地震が発生した場合、地震遮断機能を備えたマイコンメーターは自動的にガスを遮断し、管線の破損による二次災害の発生を回避することができる。
【０００６】
従来の機械式ガスメーターが人力による検針に依存している問題を解決するため、すでに批准・公告されている台湾実用新案登録番号ＴＷ  Ｍ４８４１３８Ｕは、「クラウドガスメーター管理サービスシステム」を提示している。主にユーザー側に認証コード（ＩＤ）を内蔵するガスメーターと、対応する通信無線機を設置し、ユーザー側のガス使用量とガスメーターの動作状態をクラウドバックエンドとデータベースを備えたガスメーター通信プラットフォームでモニタリングして記録し、かつサーバー側が管理インターフェイスを備えたバックエンドの設置を通じて、設置されたガスメーターとの検証を行った後、該ガスメーターの通信プラットフォームに進入してガスメーターの関連情報を読み取ることで、遠隔によるガス検針、定期検査または通報サービス等の作業を完了し、人力による検針のコストと人為的ミス発生率を下げる目的を達成することができる。
【０００７】
そのうち、ユーザー側のマイコンメーターは識別コード（ＩＤ）を内蔵し、かつ対応する通信無線機が設置され、マイコンメーターは対応する通信無線機を通じてコントロールセンター及びクラウドデータベースに通信接続する必要がある。通信無線機は内部に電池（例えばリチウム電池）が設置されており、リチウム電池の電力が尽きると遠端モニタリングと遠隔検針の機能を実現することができない。現行の関連規定によれば、マイコンメーターは定期交換が必要であり（ガス会社が交換の責任を負う）、毎回マイコンメーターを交換すると同時に対応する通信無線機を交換する必要があり、現有のマイコンメーターの交換コストが高いことは明白である。
【先行技術文献】
【特許文献】
【０００８】
【特許文献１】台湾実用新案登録番号ＴＷ  Ｍ４８４１３８Ｕ明細書
【考案の概要】
【考案が解決しようとする課題】
【０００９】
本考案が解決する技術的課題は、クラウドデータベース及びコントロールセンターと通信接続し、マイコンメーターと検知器のモニタリング、及びガス使用データの収集に用い、遠隔検針、料金計算、オンライン支払い、及びマイコンメーターの機能のオン／オフ遠隔制御を実現することができる、ガス供給システムのスマートモニタリングボックスを提供することにある。
【００１０】
本考案の別の目的は、従来の機械式ガスメーターまたはマイコンメーターがユーザー側のガス使用データ（ガス度数及び検知器状態）のリアルタイム遠隔モニタリングを行うことができないという欠点を解決する、ガス供給システムのスマートモニタリングボックスを提供することにある。
【課題を解決するための手段】
【００１１】
本考案のガス供給システムのスマートモニタリングボックスの一実施例の構造は、少なくとも、プロセッサー（ＣＰＵ）と、通信インターフェイス（ｃｏｍｍｕｎｉｃａｔｉｏｎ  ｉｎｔｅｒｆａｃｅ）と、通信モジュールと、電力供給ユニット（ＡＣ／ＤＣ変換）を含む。
【００１２】
そのうち、該電力供給ユニットが商用電源に電気的に接続され、商用電源を直流に変換してスマートモニタリングボックスに必要な電力を供給するために用いられ、該プロセッサーが該通信インターフェイスを介してマイコンメーターに電気的に接続され、該マイコンメーターのガス度数を読み取るために用いられ、該プロセッサーが該通信インターフェイスを介して該通信モジュールに電気的に接続され、該通信モジュールを介してクラウドデータベース及びコントロールセンターと通信接続を構成し、該プロセッサーが該通信モジュールを介してガス度数を該クラウドデータベース及び該コントロールセンターに伝送し、かつ該コントロールセンターの制御信号を受信して該マイコンメーターに対しオフ、オン、復帰の操作を実行させることができる。
【００１３】
本考案のガス供給システムのスマートモニタリングボックスの好ましい実施例の構造はさらに、ガス漏れ検知器を含み、該ガス漏れ検知器が該マイコンメーターに電気的に接続され、該ガス漏れ検知器がガス漏れを検知したとき該マイコンメーターに対して第１切断信号を送信し、該マイコンメーターをオフにすることができる。
【００１４】
そのうち、該電力供給ユニットと該ガス漏れ検知器が商用電源を共用し、該プロセッサーが該通信インターフェイスを介して該ガス漏れ検知器に接続し、該ガス漏れ検知器が送信する該第１切断信号を取得して、該第１切断信号を該クラウドデータベース及び該コントロールセンターに伝送するために用いられる。
【００１５】
本考案のガス供給システムのスマートモニタリングボックスの好ましい実施例の構造はさらに、一酸化炭素検知器を含み、該一酸化炭素検知器が該マイコンメーターに電気的に接続され、該一酸化炭素検知器が一酸化炭素を検知したとき該マイコンメーターに対して第２切断信号を送信し、該マイコンメーターをオフにすることができる。
【００１６】
そのうち、該電力供給ユニットと該一酸化炭素検知器が商用電源を共用し、該プロセッサーが該通信インターフェイスを介して該一酸化炭素検知器に接続され、該一酸化炭素検知器が送信する該第２切断信号を取得して、該第２切断信号を該クラウドデータベース及び該コントロールセンターに伝送するために用いられる。
【００１７】
該通信インターフェイスが、ＧＰＩＯ、Ｉ２Ｃ、ＵＳＢ、ＵＡＲＴ、ＲＪ４５のうちのいずれかの接続ポートを含む。
【００１８】
該通信モジュールが、無線通信モジュールと有線通信モジュールのうちのいずれかを含む。
【００１９】
該無線通信モジュールが、Ｌｏｒａ（登録商標）、ＷｉＦｉ、３Ｇ、４Ｇ、Ｂｌｕｅｔｏｏｔｈ（登録商標）通信モジュールのうちのいずれかを含み、該有線通信モジュールがイーサネット通信モジュールである。
【００２０】
該プロセッサーの好ましい実施方式は、フィールドプログラマブルゲートアレイ（ＦＰＧＡ）とすることができる。
【００２１】
本考案のガス供給システムのスマートモニタリングボックスの好ましい実施例は、さらにバックアップ電力ユニットを含み、該バックアップ電力ユニットが少なくとも、充電池
と、電源管理回路と、電源アダプタを含み、該バックアップ電力ユニットが商用電源に電気的に接続され、該電源管理回路が該電源アダプタを制御し、商用電源を使用して該充電池に充電させ、該電源管理回路が商用電源の切断または停電期間中、該充電池を制御して該スマートモニタリングボックスに必要な電力を供給させる。
【考案の効果】
【００２２】
本考案は以下を含む有益な効果を備えている。
【００２３】
（１）コントロールセンターまたはユーザーのアプリからマイコンメーターのガス供給のオン／オフを遠隔制御することができ、使用上の安全性を確約するとともに、地震発生後にガスメーターを復帰させるスタッフ派遣コストを節約することができる。
【００２４】
（２）遠隔検針機能を実現でき、コントロールセンターが遠隔でガスの度数をリアルタイムで読み取り、費用計算と支払処理を行うことができ、検針スタッフのコストを節約し、支払いとクレームを処理することができる。
【００２５】
（３）ユーザーがアプリを通じて遠隔でガス度数をリアルタイムで読み取ったり、オンラインでリアルタイムに支払いをしたりすることができ、ユーザーのガス度数読み取りとオンライン支払いに便利である。
【００２６】
（４）本考案のガス供給システムのスマートモニタリングボックスは、検知器の商用電源を共有し、ガス使用データの収集とガス使用状態のモニタリングを適宜行うことができる。本考案のスマートモニタリングボックスは従来のマイコンメーターの通信無線機を置き換えることができ、ガス会社はマイコンメーターの交換時、通信無線機を設置または交換する必要がなくなり、ユーザーが本考案のスマートモニタリングボックスを購入する際、同時に遠隔読み取りとモニタリング機能が含まれ、ガス会社の通信無線機交換コストを節約することができる。
【図面の簡単な説明】
【００２７】
【図１】本考案によるガス供給システムのスマートモニタリングボックスをスマートガスモニタリングシステムに応用した構成を示す概略図である。
【図２】本考案によるガス供給システムのスマートモニタリングボックスの一実施例の機能ブロック図である。
【図３】本考案によるガス供給システムのスマートモニタリングボックスの別の一実施例の機能ブロック図である。
【図４】本考案によるガス供給システムのスマートモニタリングボックスの一実施例の回路構成図である。
【図５】本考案によるガス供給システムのスマートモニタリングボックスの別の一実施例の機能ブロック図である。
【考案を実施するための形態】
【００２８】
以下の実施するための形態において述べる上下左右を含む位置関係は、特別に記載がなければ、いずれも図面において示される方向に準じる。
【実施例１】
【００２９】
まず図１の本考案によるガス供給システムのスマートモニタリングボックスをスマートガスモニタリングシステムに応用した構成を示す概略図を参照する。本考案のガス供給システムのスマートモニタリングボックス１０は、天然ガス／ガス供給システム（ユーザー側にマイコンメーター９０を設置したガス管線供給システムを指す）に応用し、クラウドデータベースＤ及びコントロールセンターＣと通信接続してマイコンメーター９０と検知器のモニタリングに用いることができ、かつガス度数と検知器の状態を含むガス使用データを収集する。図に示す一実施例は、複数のガス会社のコントロールセンターＣが１つまたは複数のクラウドデータベースＤを共用し、クラウドデータベースＤ中のガス使用データの読み取りに用いることができる。図１に示す通信接続は、無線通信モジュール８０、信号集中ステーション８１、通信事業者基地局８２で構成される通信ネットワークを通じて、コントロールセンターＣ及びクラウドデータベースＤとデータ／制御信号の送受信を
行うが、これに限らない。
【００３０】
一般に、マイコンメーター９０の構造は通常、遮断弁、内蔵電源、地震感知器、流量検知器、マイコンチップ、圧力検知器、計量部（ガスの使用量を計量し、対応するガス度数に変換するために用いる）、計量指示器、復帰装置を含む。同時に他の家事をしていてガスを使用していることを忘れても、所定の安全使用期間を超過すると、火災や窒息等の事故を回避するために、マイコンメーター９０の超過時間遮断機能が自動的にガスを切断し、安全を確保することもできる。ガス供給圧力が高すぎる、または低すぎる（例えば外管の破断）とき、マイコンメーター９０の圧力超過／圧力低下遮断機能が直ちにガスを遮断し、ガス供給回復時にガスがタップから漏れ出すことによる危険の発生を防止する。リクタースケール５以上の地震が発生した場合、地震遮断機能を備えたマイコンメーター９０は自動的にガスを遮断し、管線の破損による二次災害の発生を回避することもできる。
【００３１】
図２の本考案によるガス供給システムのスマートモニタリングボックスの一実施例の機能ブロック図を参照する。本考案のガス供給システムのスマートモニタリングボックス１０の一実施例の構造は、少なくとも、プロセッサー（ＣＰＵ）２０と、通信インターフェイス（ｃｏｍｍｕｎｉｃａｔｉｏｎ  ｉｎｔｅｒｆａｃｅ）３０と、通信モジュール４０と、電力供給ユニット（ＡＣ／ＤＣ変換）５０を含む。図４のスマートモニタリングボックス１０の一実施例の回路構成図に示すように、そのうち該プロセッサー２０の好ましい実施方式は、フィールドプログラマブルゲートアレイ（ＦＰＧＡ）チップとすることができる。そのうち、該通信インターフェイス３０の実施方式は、ＧＰＩＯ、Ｉ２Ｃ、ＵＳＢ、ＵＡＲＴ、ＲＪ４５のうちのいずれかの接続ポートを含む。そのうち、該通信モジュール４０の実施方式が、無線通信モジュールと有線通信モジュールのうちのいずれかを含む。該無線通信モジュールが、Ｌｏｒａ（登録商標）、ＷｉＦｉ、３Ｇ、４Ｇ、Ｂｌｕｅｔ
ｏｏｔｈ（登録商標）通信モジュールのうちのいずれかを含み、該有線通信モジュールがイーサネット（Ｅｔｈｅｒｎｅｔ）通信モジュールとすることができる。
【００３２】
そのうち、該電力供給ユニット５０が商用電源に電気的に接続され、商用電源を直流に変換してスマートモニタリングボックス１０に必要な電力を供給するために用いられ、該プロセッサー２０が該通信インターフェイス３０を介してマイコンメーター９０に電気的に接続され、該マイコンメーター９０のガス度数を読み取るために用いられ、該プロセッサー２０が該通信インターフェイス３０を介して該通信モジュール４０に電気的に接続され、該通信モジュール４０を介してクラウドデータベースＤ及びコントロールセンターＣと通信接続を構成し、該プロセッサー２０が該通信モジュール４０を介してガス度数を該クラウドデータベースＤ及び該コントロールセンターＣに伝送し、かつ該コントロールセンターの制御信号を受信して該マイコンメーター９０に対しオフ、オン、復帰の操作を実行させることができる。例えば、地震災害またはユーザーのガス料金未払いが発生した場合、コントロールセンターＣが該制御信号を送信し、遠隔の強制遮断メカニズムを通じてマイコンメーター９０をオフにする。マイコンメーター９０がオフにされた後は、コントロールセンターＣがオフ原因の解除を確認した後のみ、コントロールセンターＣが該制御信号（例えば地震信号リセット）を送信し、コントロールセンターＣが遠隔制御メカニズムを通じてマイコンメーター９０を再度オンにする、または復帰させる。このように、遠隔検針、料金計算、オンライン支払い、マイコンメーター９０オン／オフの遠隔制御機能を実現する。
【００３３】
また、ユーザーはスマートフォンにダウンロードしたアプリケーション（アプリ）を利用してスマートモニタリングボックス１０を遠隔制御し、ガス度数の読み取りやマイコンメーター９０の緊急停止操作を実行することができる。好ましい実施方式において、ユーザーはガス会社に授権を申請して取得してから、スマートフォンにダウンロードしたアプリケーション（アプリ）を利用し、コントロールセンターＣを介してガス度数の読み取りやマイコンメーター９０の緊急停止機能を実現することができる。
【実施例２】
【００３４】
図３と図４を参照する。図３に本考案によるガス供給システムのスマートモニタリングボックスの別の一実施例の機能ブロック図を示す。そのうち、スマートモニタリングボックス１０にはさらにガス漏れ検知器７１と酸化炭素検知器７０が統合される。そのうち１つの実施方式では、スマートモニタリングボックス１０、ガス漏れ検知器７１、一酸化炭素検知器７０が１つの機器に統合され、商用電源を共用して、適宜ガス使用データ（例えばガス度数）の収集とガス使用状態、すなわちガス漏れ検知器７１と一酸化炭素検知器７０の状態のモニタリングを行う。そのうち、ガス漏れ検知器７１はガス漏れを検知したときマイコンメーター９０に第１切断信号を送信することができる。一酸化炭素検知器７０は一酸化炭素を検知したときマイコンメーター９０に第２切断信号を送信することができる。マイコンメーター９０が該第１切断信号または該第２切断信号を受信すると、マイコンメーター９０の遮断機能が遮断弁を制御して直ちにガスの供給を遮断し、爆発や中毒事
件を防止する。
【００３５】
図３と図４を参照する。図４に本考案によるガス供給システムのスマートモニタリングボックスの一実施例の回路構成図を示す。そのうち、ガス漏れ検知器７１と一酸化炭素検知器７０はマイコンメーター９０に電気的に接続される。一般に、マイコンメーター９０は４本の信号線を有し、そのうち２本がドライ接点信号線９１で、ガス漏れ検知器７１及び一酸化炭素検知器７０に接続し、該第１切断信号または第２切断信号の受信に用いることができる。そのうち、スマートモニタリングボックス１０の電力供給ユニット５０とガス漏れ検知器７１及び一酸化炭素検知器７０が商用電源を共用する。本考案のガス供給システムのスマートモニタリングボックス１０のプロセッサー２０は、通信インターフェイス３０を介してガス漏れ検知器７１及び一酸化炭素検知器７０に接続され（つまり、該２本のドライ接点信号線９１に接続され）、該第１切断信号と該第２切断信号を取得し、かつ該第１切断信号と該第２切断信号をクラウドデータベースＤ及びコントロールセンターＣに送信するために用いられる。また、コントロールセンターＣが送信する制御信号が、スマートモニタリングボックス１０の通信インターフェイス３０と通信モジュール４０を介してプロセッサー２０に送信され、プロセッサー２０が通信インターフェイス３０と該２本のドライ接点信号線９１を介してマイコンメーター９０を制御し、マイコンメーター９０のオン／オフ、復帰の遠隔制御機能を実現することができる。
【００３６】
マイコンメーター９０の別の２本の信号線がスマートモニタリングボックス１０の通信インターフェイス３０に電気的に接続され、該ガス度数をスマートモニタリングボックス１０に送信するために用いられ、プロセッサー２０が通信モジュール４０を介してガス度数をクラウドデータベースＤ及びコントロールセンターＣに送信し、遠隔検針、料金計算、オンライン支払いの機能を実現することができる。
【００３７】
図５の本考案によるガス供給システムのスマートモニタリングボックスの別の一実施例の機能ブロック図を参照する。本考案のガス供給システムのスマートモニタリングボックス１０の別の一実施例の構造は、さらにバックアップ電力ユニット６０を含み、該バックアップ電力ユニット６０が少なくとも、充電池６１と、電源管理回路６２と、電源アダプタ６３を含み、該バックアップ電力ユニット６０が商用電源に電気的に接続され、該電源管理回路６２が該電源アダプタ６３を制御して商用電源を使用し、充電池６１に対して充電させ、該電源管理回路６２が商用電源の切断または停電期間中、該充電池６１を制御してスマートモニタリングボックス１０に必要な電力を供給させる。
【符号の説明】
【００３８】
Ｄ クラウドデータベース
Ｃ コントロールセンター
１０ スマートモニタリングボックス
２０   プロセッサー
３０   通信インターフェイス
４０   通信モジュール
５０   電力供給ユニット
６０   バックアップ電力ユニット
６１   充電池
６２   電源管理回路
６３   電源アダプタ
７０   一酸化炭素検知器
７１   ガス漏れ検知器
８０   無線通信モジュール
８１   信号集中ステーション
８２   通信事業者基地局
９０   マイコンメーター
９１   ドライ接点信号線
【図１】
0003234902.tif 000003
【図２】
0003234902.tif 000004
【図３】
0003234902.tif 000005
【図４】
0003234902.tif 000006
【図５】
0003234902.tif 000007